(57)【要約】【課題】使用済みの注射針に触れることなく安全且つ簡単に注射器から注射針を取外すことのできる注射針取外し器を提供する。【解決手段】注射器２における注射器本体４の先端に取付けられ基端部５に長軸及び短軸を有した非円形形状の鍔部７が形成された注射針３を取外すための注射針取外し器１であって、注射針取外し器１に、容器８の開口部９と嵌合する嵌合部１０を有した板状の本体１１と、本体１１の略中央に穿設され注射針３が通過可能な長軸及び短軸を有した非円形形状の挿入孔１２と、挿入孔１２に向かって低くなる上面部１３と、上面部１３とは反対側の下面部１４に挿入孔１２の周縁に沿って形成され挿入孔１２の長軸方向から短軸方向に向かって漸次下方に突出するテーパ部１５とを具備させる。【選択図】図１
2007105204.tif 000002
【特許請求の範囲】
【請求項１】
注射器における薬液を収容可能な注射器本体の先端に取外し可能に取付けられ、基端部に長軸及び短軸を有した非円形形状の鍔部が形成された注射針を注射器本体から取外すための注射針取外し器であって、
使用済みの注射針を少なくとも収容可能な容器の開口部と嵌合する嵌合部を有した板状の本体と、
該本体の略中央に穿設され、注射器に取付けられた注射針が通過可能な長軸及び短軸を有した非円形形状の挿入孔と、
該挿入孔に向かって低くなるように形成された上面部と、
該上面部とは反対側の下面部に前記挿入孔の周縁に沿って形成され、該挿入孔の長軸方向から短軸方向に向かって漸次下方に突出するテーパ部と
を具備することを特徴とする注射針取外し器。
【発明の詳細な説明】
【技術分野】
【０００１】
本発明は、使用済みの注射器から注射針に触れることなく安全に注射針を取外すことのできる注射針取外し器に関するものである。
【背景技術】
【０００２】
従来より、病院等において、使用済みの注射器を廃棄する際には、看護士等の作業者が注射器内に残った薬液等を容器に取出した後に、注射針及び注射器本体を手で把持して、注射針を注射器本体から取外した上で、夫々を容器に収容して廃棄していた。
【０００３】
本願出願人は、本願出願時において、以上の技術情報が記載されている文献を特に知見していない。
【発明の開示】
【発明が解決しようとする課題】
【０００４】
しかしながら、注射器から注射針を取外す作業を手作業で行っているので、注射針を把持する際や、注射針を注射器本体から取外す際に、誤って注射針の針が作業者に刺さってしまい、怪我をしたり、感染事故が発生したりする問題があった。
【０００５】
そこで、本願発明は、上記の実情に鑑み、使用済みの注射針に触れることなく安全且つ簡単に注射器から注射針を取外すことのできる注射針取外し器を提供することを課題とするものである。
【課題を解決するための手段】
【０００６】
本発明に係る注射針取外し器は、「注射器における薬液を収容可能な注射器本体の先端に取外し可能に取付けられ、基端部に長軸及び短軸を有した非円形形状の鍔部が形成された注射針を注射器本体から取外すための注射針取外し器であって、使用済みの注射針を少なくとも収容可能な容器の開口部と嵌合する嵌合部を有した板状の本体と、該本体の略中央に穿設され、注射器に取付けられた注射針が通過可能な長軸及び短軸を有した非円形形状の挿入孔と、該挿入孔に向かって低くなるように形成された上面部と、該上面部とは反対側の下面部に前記挿入孔の周縁に沿って形成され、該挿入孔の長軸方向から短軸方向に向かって漸次下方に突出するテーパ部とを具備する」構成としたものである。
【０００７】
ここで、挿入孔は、注射器における注射針の基端部に形成された鍔部が通過可能な大きさで、長軸及び短軸を有した非円形形状の貫通孔であり、特に、挿入孔の短軸の長さが、注射針の鍔部の長軸の長さよりも短い長さとすることが望ましい。
【０００８】
また、嵌合部は、本体の下面部から下方に突出する円環状のリブであっても良いし、本体の下面部から下方に突出すると共にテーパ部外周から放射状に延びる複数のリブであっても良く、放射状に延びるリブとした場合、夫々のリブの先端を適宜切断することで、嵌合させる容器の開口部の径が異なるものに対応させることができる。
【０００９】
ところで、注射器における注射針は、トレー等の上に置いた時に転がるのを防止するために、注射器本体との取付け部となる基端部に、外周形状が非円形形状の鍔部が形成されていると共に、注射針の基端部は、先端の針の太さや長さに関係なく殆んどのものが同一の大きさとされており、本願発明は、注射針の基端部の形状に着目したものである。
【００１０】
本発明の注射針取外し器によると、使用済みの注射針や注射器に残った薬液等を収容可能な容器の開口部に本体の嵌合部を嵌合させて固定した上で、使用済みの注射器の注射針を上方から本体の挿入孔に挿入して、注射器をその軸周りに回転させると、注射針の鍔部がテーパ部と当接すると共に、テーパ部のカム作用により鍔部が下方へ押圧され、注射針が注射器本体から取外されて容器内へ落下させることができる。
【００１１】
これにより、作業者は使用済みの注射針に触れることなく、注射針を注射器から取外した上で容器内に収容させることができ、注射針が刺さって怪我をしたり、感染事故が発生したりするのを防止することができ、安全且つ簡単に注射針を取外すことができる。
【００１２】
また、本体の上面部が挿入孔に向かって低くなるような形状とされており、上面部に薬液や血液等が落下しても、挿入孔に導かれて容器内へ落下させることができるので、薬液等が上面部に溜まったり、上面部から容器の外側に流下したりするのを防止することができ、清潔に作業することができる。
【発明の効果】
【００１３】
上記のように本発明によると、使用済みの注射針に触れることなく安全且つ簡単に注射器から注射針を取外すことのできる注射針取外し器を提供することができる。
【発明を実施するための最良の形態】
【００１４】
以下、本発明を実施するための最良の形態である注射針取外し器について、図１及び図２に基づき説明する。図１（Ａ）は本発明の注射針取外し器を容器に装着した状態を示す斜視図であり、（Ｂ）は注射針取外し器の底面図であり、（Ｃ）は注射針取外し器の断面側面図である。また、図２は本発明の注射針取外し器の使用方法を示す説明図である。
【００１５】
本実施形態の注射針取外し器１は、使用済みの注射器２からその注射針３に触れることなく安全且つ簡単に注射針３を取外すことのできるものである。本発明の対象となる注射器２の注射針３は、注射器本体４の先端部に取付けるための基端部５と、基端部５の先端から延びる中空の針６とから構成されている。基端部５には外周形状が長軸及び短軸を有した非円形形状の鍔部７が形成されており、この非円形形状の鍔部７により注射針３を単品で置いた時に注射針３が転がり難いようになっている。
【００１６】
本例の注射針取外し器１は、使用済みの注射針３や注射器２に残った薬液等を収容可能な容器８の開口部９と嵌合する嵌合部１０を有した円板状の本体１１と、本体１１の略中央に穿設され注射器２に取付けられた注射針３が通過可能な長軸及び短軸を有した非円形形状の挿入孔１２と、挿入孔１２に向かって低くなるように形成された上面部１３と、上面部１３とは反対側の下面部１４に挿入孔１２の周縁に沿って形成され挿入孔１２の長軸方向から短軸方向に向かって漸次下方に突出するテーパ部１５とを備えている。なお、図１（Ａ）中の符号１６は、容器８の蓋である。
【００１７】
注射針取外し器１の挿入孔１２は、注射針３の基端部５に形成された鍔部７が通過可能な大きさ及び形状とされ、詳しくは、非円形形状とされた挿入孔１２の長軸方向と、注射針３における鍔部７の長軸方向とを略一致させた時に注射針３が挿入孔１２を通過可能となり、挿入孔１２の短軸方向と鍔部７の長軸方向とを略一致させた時には注射針３が挿入孔１２を通過不能となる大きさ及び形状とされている。
【００１８】
注射針取外し器１のテーパ部１５は、本例では挿入孔１２の周縁に沿って四つ備えられている。詳しくは、図１（Ｂ）に示すように、非円形形状の挿入孔１２の略直交する長軸及び短軸によって分割される四つの領域に、夫々一つずつテーパ部１５が備えられている。これらのテーパ部１５によって挿入孔１２の周縁における本体１１の板厚は、挿入孔１２の長軸方向付近が最も薄く、短軸方向付近が最も厚くなっている。なお、テーパ部１５による短軸方向付近の最も厚い厚さは、注射器２における注射器本体４の大径部先端と注射針３の基端部５後端との間の厚さよりも厚い厚さとなるようになっている。
【００１９】
注射針取外し器１の上面部１３は、図１（Ｃ）に示すように、挿入孔１２に向かって低くなるように傾斜する傾斜面とされており、上面部１３上に滴下した薬液や血液等の液体を挿入孔１２へ導いて、挿入孔１２から容器８内へ流下させることができるようになっていると共に、注射器２の注射針３を挿入孔１２に挿入する際に、注射針３の先端が上面部１３に当接しても傾斜面によりその先端を挿入孔１２に導くことができ、注射針３を容易に挿入孔１２へ挿入できるようになっている。
【００２０】
注射針取外し器１の嵌合部１０は、図１に示すように、本体１１の下面部１４から下方に突出し、挿入孔１２を中心として放射状に延びる複数のリブ１７の先端に備えられている。このリブ１７には、本体１１の周方向に延びると共に本体１１の半径方向の異なる位置に複数配置された切欠き１８が備えられており、この切欠き１８を用いてリブ１７の先端を削除することで、複数のリブ１７の先端によって形成される径を変化させることができ、容器８の開口部９の内径が異なるものにも、本例の注射針取外し器１を問題なく装着できるようになっている。
【００２１】
なお、リブ１７の先端を下面部１４から遠ざかるのに従って本体１１の中心からの距離が少なくなるような傾斜面としたり、リブ１７の先端を本体１１の中心からの距離の異なる段付面としたりしても良く、開口部９の径が異なる容器８に対応させることができる。
【００２２】
次に、本実施形態の注射針取外し器１の使用方法について説明する。まず、本例の注射針取外し器１を所定の容器８に装着する。具体的には、注射針取外し器１における本体１１の下面部１４に形成された複数の放射状のリブ１７における先端の嵌合部１０を、所定の容器８の開口部９に圧入嵌合させることで、注射針取外し器１の上面部１３が上方を向いた状態で容器８に装着することができる。
【００２３】
そして、容器８に注射針取外し器１を装着した状態で、使用済みの注射器２の注射針３を注射器本体４に取付けられた状態のまま挿入孔１２に挿入する。この時、図２（ア）に示すように、挿入孔１２の長軸方向と注射針３における基端部５の鍔部７の長軸方向とが略一致するように、注射器２の注射針３を挿入孔１２に挿入することで、注射針３が挿入孔１２を通過させることができる。その後、注射器２内に薬液や血液等の廃棄する液体が残っている場合は、注射器２の操作部（図示しない）を操作して容器８内へ排出する。
【００２４】
次に、注射器２の注射針３を挿入孔１２に挿入した状態で、注射器２（注射器本体４）をその軸周りに回転させると、注射器本体４の回転に伴って注射針３も回転し、注射針３における鍔部７の長軸方向が、挿入孔１２の短軸方向に向かって回転する。そして、注射針３の回転により、その鍔部７が挿入孔１２の短軸方向に向かうほど下方に突出するテーパ部１５と当接し、更に回転すると、そのテーパ部１５のカム作用により鍔部７が下方に押圧されると共に下方に移動して、注射器本体４の先端から注射針３が取外され、注射針３が容器８内に落下する（図２（イ）参照）。その後、注射器本体４を注射器取外し器１から離して、注射器本体４を所定の廃棄用袋や容器に入れて、専門の処分業者に受渡して処分してもらう。
【００２５】
このような作業をすることで、看護士等の作業者は、注射器２の注射針３に全く触れることなく、安全且つ簡単に注射針３を取外すことができるようになっている。そして、容器８に溜まった注射針３を廃棄する場合は、容器８に注射針取外し器１を装着した状態で、蓋１６を締めて、専門の処分業者に受渡して処分してもらう。なお、本例の注射針取外し器１では、注射器２を何れの方向に回転させても、注射針３を良好に取外すことができる。
【００２６】
このように本実施形態の注射針取外し器１によると、作業者は使用済みの注射針３に触れることなく、注射針３を注射器２から取外した上で容器８内に収容させることができ、注射針３が刺さって怪我をしたり、感染事故が発生したりするのを防止することができ、安全且つ簡単に使用済みの注射器２から注射針３を取外すことができる。
【００２７】
また、本体１１の上面部１３が挿入孔１２に向かって低くなるような形状とされており、上面部１３に薬液や血液等が落下しても、挿入孔１２に導かれて容器８内へ落下させることができるので、薬液等が上面部１３に溜まったり、上面部１３から容器８の外側に流下したりするのを防止することができ、清潔に作業することができる。
【００２８】
また、テーパ部１５が四つ備えられているので、挿入孔１２に挿入した注射器２を何れの方向に回転させても、注射針３の鍔部７にテーパ部１５によるカム作用を作用させて、注射針３を取外すことができるので、作業者毎の癖に関係なく使い勝手の良いものとすることができる。
【００２９】
更に、本例の注射針取外し器１は、構造が簡単で比較的安価に製造することができるので、容器８に装着した状態で蓋１６をして容器８ごと廃棄する、つまり、使い捨てとしても良く、容器８から注射針取外し器１を取外す必要がなくなり、取外しの際に感染事故等が発生するのを回避することができると共に、取外しに係る手間を無くすことができ、使い勝手の良いものとすることができる。
【００３０】
なお、本体１１（注射針取外し器１）を、薬液や血液等が付着しても目立ち難い、黒色、赤茶色やこげ茶色等の暗い色とすることが望ましく、これにより、血液等が付着しても目立ち難くなり、清潔感を高めることができる。
【００３１】
また、注射針取外し器１が嵌合装着される容器８は、使用済みの注射針３を廃棄するための専用容器であっても良いし、錠剤やカプセル剤等の薬剤の入っていた空容器であっても良く、薬剤用等の空容器を用いることで、廃棄される空容器を有効利用することができると共に、廃棄物を減らすことができる。
【００３２】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００３３】
すなわち、本実施形態では、テーパ部１５を四つ備えたものを示したが、長軸又は短軸を挟んで何れか一方のみとしても良く、これにより上記と同様の作用効果を奏することができる。また、挿入孔１２の中心を点対称に二つ設けても良く、この場合は注射器２の回転方向が一方方向に決まるが、上記と略同様に注射針３を安全且つ簡単に取外すことができる。
【００３４】
また、本実施形態では、嵌合部１０を、放射状に形成した複数のリブ１７の先端としたものを示したが、これに限定するものではなく、例えば、挿入孔１２の中心を中心として、円環状に形成したリブ、又は円盤状に形成した凸部の外周を嵌合部としても良く、特定の径の開口部を有した容器に対応させることができる。
【図面の簡単な説明】
【００３５】
【図１】（Ａ）は本発明の注射針取外し器を容器に装着した状態を示す斜視図であり、（Ｂ）は注射針取外し器の底面図であり、（Ｃ）は注射針取外し器の断面側面図である。
【図２】本発明の注射針取外し器の使用方法を示す説明図である。
【符号の説明】
【００３６】
１  注射針取外し器
２  注射器
３  注射針
４  注射器本体
５  基端部
６  針
７  鍔部
８  容器
９  開口部
１０  嵌合部
１１  本体
１２  挿入孔
１３  上面部
１４  下面部
１５  テーパ部
１６  蓋
１７  リブ
１８  切欠き
【図１】
2007105204.tif 000003
【図２】
2007105204.tif 000004